(57)【要約】【課題】  複雑な構成を不要としつつ、ミラーサイネージを簡単に回転可能に取り付けることができ、保守点検時の作業性も確保できる。【解決手段】  エレベータかご室の一面を上下左右の各側板部材で枠状に構成する枠状壁面部材と、前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、前記枠状壁面部材に取り付けられる前記ミラーサイネージをかご室側へ開閉可能に支持する開閉機構と、を備え、前記開閉機構は、前記ミラーサイネージの一側縁部の下端面又は上端面に設けられた軸部と、前記枠状壁面部材を構成する下側板部材及び上側板部材にそれぞれ設けられ、前記軸部と係合してミラーサイネージを回転可能に軸支する軸受部と、を有する。【選択図】  図２
2017218290.tif 000002
【特許請求の範囲】
【請求項１】
エレベータかご室の一面を上下左右の各側板部材で枠状に構成する枠状壁面部材と、
前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、
前記枠状壁面部材に取り付けられる前記ミラーサイネージをかご室側へ開閉可能に支持する開閉機構と、を備え、
前記開閉機構は、
前記ミラーサイネージの一側縁部の下端面又は上端面に設けられた軸部と、前記枠状壁面部材を構成する下側板部材又は上側板部材にそれぞれ設けられ、前記軸部と係合してミラーサイネージを回転可能に軸支する軸受部と、
を有することを特徴とするエレベータかご室におけるミラーサイネージの取付構造。
【請求項２】
エレベータかご室の一面を上下左右の各側板部材で枠状に構成する枠状壁面部材と、
前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、
前記枠状壁面部材に取り付けられる前記ミラーサイネージをかご室側へ開閉可能に支持する開閉機構と、を備え、
前記開閉機構は、
前記枠状壁面部材を構成する下側板部材又は上側板部材に設けられた軸部と、
前記ミラーサイネージの一側部側の下端面又は上端面にそれぞれ設けられ、前記軸部と係合して前記ミラーサイネージを回転可能に軸支する軸受部と、
を有することを特徴とするエレベータかご室におけるミラーサイネージの取付構造。
【請求項３】
前記下側板部材に設けられる下部軸受部は、
前記下側板部材に形成された貫通孔に挿入可能な外径を有する円筒状の挿入部と、該挿入部の端部に一体形成され前記挿入部の外径より大きい径を有する鍔部と、前記鍔部と前記挿入部とを貫通する軸挿入孔とから形成された鍔付ブッシュを備えることを特徴とする請求項１又は２に記載のエレベータかご室におけるミラーサイネージの取付構造。
【請求項４】
前記軸受部は、
軸受本体と、該軸受本体に対して垂直方向に一体的に立設され、かつ中心には前記軸部が挿入される軸挿入孔が形成された軸受挿入部とから形成された軸受台座、
を備えることを特徴とする請求項１又は２に記載のエレベータかご室におけるミラーサイネージの取付構造。
【請求項５】
前記軸挿入孔に挿入可能な外径を有するとともに中心には前記軸部が挿入される孔が形成されたブッシュを備え、前記軸挿入孔にブッシュが挿入され、該ブッシュの孔に前記軸部が挿入されることを特徴とする請求項４に記載のエレベータかご室におけるミラーサイネージの取付構造。
【請求項６】
前記軸受部とブッシュとを一部品とする軸受ブラケットで構成することを特徴とする請求項５に記載のエレベータかご室におけるミラーサイネージの取付構造。
【請求項７】
前記軸部は、下側板部材又は上側板部材に取り付けられる平板状の軸台座と、該軸台座に立設された軸とから形成されることを特徴とする請求項２に記載のエレベータかご室におけるミラーサイネージの取付構造。
【請求項８】
エレベータかご室の一面を上下左右の各側板部材で枠状に構成する枠状壁面部材と、
前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、
前記枠状壁面部材に取り付けられる前記ミラーサイネージをかご室側へ開閉可能に支持する開閉機構と、を備えたエレベータかご室におけるミラーサイネージの取付方法であって、
前記ミラーサイネージの一側縁部の上端面に設けられた軸部に、該軸部と係合してミラーサイネージを回転可能に軸支する軸受部を予め挿入しておき、
前記ミラーサイネージの一側縁部の下端面に設けられた軸部を、前記枠状壁面部材を構成する下側板部材に設けられた軸受部に挿入した後、
前記ミラーサイネージを屹立させて前記上端面の軸部に挿入された軸受部を前記枠状壁面部材を構成する上側板部材に固定する、
ことを特徴とするエレベータかご室におけるミラーサイネージの取付方法。
【発明の詳細な説明】
【技術分野】
【０００１】
本発明の実施形態は、エレベータかご室におけるミラーサイネージの取付構造及び取付方法に関する。
【背景技術】
【０００２】
エレベータの乗りかご内には、行先階や停止階等を案内表示する表示装置がある。また、最近では、宣伝広告や装飾映像等のコンテンツ（以下、「映像コンテンツ」とも称する）を表示する液晶表示装置を備えたエレベータもある。
【０００３】
一方、最近の表示装置・映像配信システムとしては、ネットワークを介して映像を配信するデジタルサイネージが知られている。また、デジタルサイネージの一つとして、鏡の中に映像コンテンツが流れるようなミラー型のディスプレイもミラーサイネージとして実用化されている。
【０００４】
最近、エレベータのかご室を有効利用するために、かご室を構成する壁面にエレベータのかご室内にミラーサイネージのようなモニター付ミラーを設置することがある。
【先行技術文献】
【特許文献】
【０００５】
【特許文献１】特開２０１３−１１９４３８号公報
【発明の概要】
【発明が解決しようとする課題】
【０００６】
しかし、エレベータのかご内の背面パネルには、車いす利用者の乗り降りの便を考慮して鏡が設置されている場合が多いため、ミラーサイネージのかご室内への設置は制約を受ける。
【０００７】
また、ミラーサイネージを保守点検する際には、ミラーサイネージの裏面側での作業が必要となる。しかし、ミラーサイネージをエレベータかご室の壁面パネルとして設置すると、パネル裏面側は昇降路に面しているため、パネル裏面と昇降路壁面との間での狭いスペースでの作業となり、作業効率が悪い。また、安全面での配慮も必要となる。
【０００８】
本発明は上記事情に鑑み、複雑な構成を不要としつつ、ミラーサイネージを簡単に回転可能に取り付けることができ、保守点検時の作業性も確保できるエレベータかご室におけるミラーサイネージの取付構造及び取付方法を提供することを目的としている。
【課題を解決するための手段】
【０００９】
上記目的を達成するための実施形態は、エレベータかご室の一面を上下左右の各側板部材で枠状に構成する枠状壁面部材と、前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、前記枠状壁面部材に取り付けられる前記ミラーサイネージをかご室側へ開閉可能に支持する開閉機構と、を備え、前記開閉機構は、前記ミラーサイネージの一側縁部の下端面又は上端面に設けられた軸部と、前記枠状壁面部材を構成する下側板部材又は上側板部材にそれぞれ設けられ、前記軸部と係合してミラーサイネージを回転可能に軸支する軸受部と、を有することを特徴としている。
【００１０】
また、他の実施形態は、エレベータかご室の一面を上下左右の各側板部材で枠状に構成する枠状壁面部材と、前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、前記枠状壁面部材に取り付けられる前記ミラーサイネージをかご室側へ開閉可能に支持する開閉機構と、を備え、前記開閉機構は、前記枠状壁面部材を構成する下側板部材又は上側板部材に設けられた軸部と、前記ミラーサイネージの一側部側の下端面又は上端面にそれぞれ設けられ、前記軸部と係合して前記ミラーサイネージを回転可能に軸支する軸受部と、を有することを特徴としている。
【００１１】
さらに、他の実施形態は、エレベータかご室の一面を上下左右の各側板部材で枠状に構成する枠状壁面部材と、前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、前記枠状壁面部材に取り付けられる前記ミラーサイネージをかご室側へ開閉可能に支持する開閉機構と、を備えたエレベータかご室におけるミラーサイネージの取付方法であって、前記ミラーサイネージの一側縁部の上端面に設けられた軸部に、該軸部と係合してミラーサイネージを回転可能に軸支する軸受部を予め挿入しておき、前記ミラーサイネージの一側縁部の下端面に設けられた軸部を、前記枠状壁面部材を構成する下側板部材に設けられた軸受部に挿入した後、前記ミラーサイネージを屹立させて前記上端面の軸部に挿入された軸受部を前記上側板部材に固定することを特徴としている。
【図面の簡単な説明】
【００１２】
【図１】乗りかごのミラーサイネージに映像を表示していない状態（Ａ）と映像を表示している状態（Ｂ）を示す説明図。
【図２】ミラーサイネージが開閉可能に取り付けられていることを示す斜視図。
【図３】ミラーサイネージが開閉可能であることを示す説明図。
【図４】第１実施形態におけるミラーサイネージの下側取付部分の断面構成を示す説明図。
【図５】第１実施形態における軸受部分の構成を示す分解斜視図。
【図６】ミラーサイネージの上側取付部分の断面構成を示す説明図。
【図７】ミラーサイネージをかご室壁面に取り付ける手順を示す説明図。
【図８】ミラーサイネージをかご室壁面に取り付ける手順を示す説明図。
【図９】ミラーサイネージをかご室壁面に取り付ける手順を示す説明図。
【図１０】第２実施形態におけるミラーサイネージの下側取付部分の断面構成を示す説明図。
【図１１】第２実施形態における軸受部分の構成を示す分解斜視図。
【図１２】第３実施形態におけるミラーサイネージの下側取付部分の断面構成を示す説明図。
【図１３】第３実施形態における軸部分の構成を示す分解斜視図。
【図１４】第４実施形態におけるミラーサイネージの下側取付部分の断面構成を示す説明図。
【図１５】第５実施形態におけるミラーサイネージの上側取付部分の断面構成を示す説明図。
【図１６】第６実施形態におけるミラーサイネージの上側取付部分の断面構成を示す説明図。
【図１７】第７実施形態におけるミラーサイネージの上側取付部分の断面構成を示す説明図。
【図１８】第８実施形態におけるミラーサイネージ１６の下側取付部分断面構成を示す説明図。
【図１９】第９実施形態におけるミラーサイネージ１６の取付構造を示す説明図。
【発明を実施するための形態】
【００１３】
以下、添付図面を参照して、実施形態に係るエレベータかご室におけるミラーサイネージの取付構造及び取付方法を説明する。
【００１４】
はじめに、各実施形態に共通の構成について説明する。図１（Ａ）及び（Ｂ）は、それぞれ、本実施形態で、乗りかごのミラーサイネージに映像を表示していない状態、及び、映像を表示している状態を示す説明図である。図２は、本実施形態で、ミラーサイネージが開閉可能に取り付けられることを説明する展開斜視図である。図３は、本実施形態で、ミラーサイネージが開閉可能であることを説明する平面断面図である。
【００１５】
図１〜図３に示すように、エレベータを構成する本実施形態の乗りかご１０は、かご内壁面１２を構成するとともに、かご室Ｓの内側へ開くことが可能な開閉機構１４（図２参照）を有するミラーサイネージ１６と、ミラーサイネージ１６を開閉不能に施錠する施錠機構１８とを備えている。本実施形態では、ミラーサイネージ１６をかご室背面部（かご室の奥側）に配置している。
【００１６】
ミラーサイネージ１６は、モニター付きミラーであり、パネル表面側を鏡として機能させるメイン機能にモニター機能が付加されたものである。モニター機能は、宣伝広告や装飾映像等のコンテンツを表示する機能である。ミラーサイネージ１６は、これら２つの機能を１つの構成要素で発揮することができる。すなわち、車椅子利用者が使用する副操作盤が押され乗場呼びが発生したときには、乗場側には鏡の機能だけを表示させてモニター機能を表示させず、それ以外のときには鏡の機能を失わせずにモニターの機能を優先させて表示するように、制御されている。
【００１７】
図３に示すように、乗りかご１０は、ミラーサイネージ１６の外側に、すなわち昇降路に面する側に遮蔽板２０を備えており、ミラーサイネージ１６を開いてもかご室内から昇降路への落下が確実に防止されている。
【００１８】
ミラーサイネージ１６は、かご内壁面１２を形成しているハーフミラー２２と、ハーフミラー２２の裏面側に設置されたモニター２４とを有する。モニター２４は、背面から、記憶媒体ＭとしてＵＳＢメモリＭ１が着脱自在なＵＳＢ装着部２８を有している。コンテンツデータが記憶されたＵＳＢメモリＭ１が背面側からＵＳＢ装着部２８に差し込まれることで、コンテンツデータをモニター２４に出力することができる。なお、記憶媒体Ｍとしては、ミラーサイネージ１６にコンテンツデータを転送できる限り、ＵＳＢメモリＭ１に限らず他の種類の記憶媒体であってもよい。
【００１９】
また、ミラーサイネージ１６は、図２、図３に示すように、一方の側縁部に、回動により開閉の切り替えを行うための下側回転軸部３４及び上側回転軸部３６を、開閉機構１４の構成部材として備えている。そして、他方の側縁部に、モニター２４のサイド側から張り出すＬ字状部材３８を備えている。Ｌ字状部材３８は磁性材（例えば通常の鉄板）で構成されている。
【００２０】
そして、遮蔽板２０の内側（かご室側）には、Ｌ字状部材３８を吸着する磁石４２が配置されており、ミラーサイネージ１６を閉じているときには磁石４２にＬ字状部材３８が当接して磁力で吸着されている。なお、モニター２４のサイド側から張り出して磁石４２で吸着・固定される得る限り、Ｌ字状部材以外の他の部材であってもよい。
【００２１】
ミラーサイネージ１６の周囲には、ミラーサイネージ１６に隣接してかご内壁面を形成している背面部材４６（背面側板部材４６ａ、４６ｂ、背面上板部材４７、及び、背面下板部材４８）との間を塞ぐ目地材（モヘア。図示せず）が設けられている。背面側板部材４６ａ、４６ｂ、背面上板部材４７及び背面下板部材４８によって枠状壁面部材が構成されている。また、背面側板部材４６ａ、４６ｂ及び背面下板部材４８の下側には、幅木４９が設けられている。そして、ミラーサイネージ１６を閉じたときには、ハーフミラー２２と背面部材４６の内壁面とが面一になるように設定されている。
【００２２】
更に、乗りかご１０は、ミラーサイネージ１６の下部にキャスター５０を有している。ミラーサイネージ１６を閉じた状態では、このキャスター５０が、ミラーサイネージ下側に隣接しかご内壁面を形成している背面下板部材４８の上面側に当接しており、キャスター５０は、ミラーサイネージ１６を開閉するときに背面下板部材４８の上面を転がるように配置されている。
【００２３】
更に、後述するように、背面下板部材４８には下側回転軸部３４を受ける下側軸受部５２が、背面上板部材４７には上側回転軸部３６を受ける上側軸受部６２がそれぞれ設けられている。
【００２４】
＜第１実施形態＞
次に、エレベータかご室におけるミラーサイネージの取付構造の第１実施形態を説明する。
【００２５】
図４は第１実施形態における下部側の構成を示す断面図である。
【００２６】
同図に示すように、背面下板部材４８には、ミラーサイネージ１６が立設された状態で回転可能に支持するための下側軸受部５２が設けられており、ミラーサイネージ１６の下端に設けられた前記下側回転軸部３４を回転可能に支持する。
【００２７】
下側軸受部５２は、図５に示すように、軸受板５４と、鍔付ブッシュ５６とを備えている。軸受板５４は厚さが数ｍｍ〜数ｃｍの金属板で直方体状に形成されている。その中央部には丸孔５４ａが、また、丸孔５４ａの左右には一対のネジ孔５４ｂがそれぞれ貫通形成されている。
【００２８】
鍔付ブッシュ５６は樹脂材等で形成されている。また、鍔付ブッシュ５６は、丸孔５４ａに挿入可能な外径を有する円筒状の挿入部５６ａと、挿入部５６ａの端部に一体形成され挿入部５６ａの外径より大きい径を有する鍔部５６ｂと、鍔部５６ｂと挿入部５６ａとを貫通して下側回転軸部３４を受け入れる軸挿入孔５６ｃとを有している。
【００２９】
そして、背面下板部材４８上に軸受板５４を置き、背面下板部材４８に形成された丸孔４８ａ及びネジ孔４８ｂ上に、軸受板５４の丸孔５４ａ及びネジ孔５４ｂを位置決めして、皿ネジ５８をネジ孔５４ｂから挿入し、背面下板部材４８の下面側に溶接されたナット６０により固定する。その後、鍔付ブッシュ５６の挿入部５６ａを軸受板５４の丸孔５４ａに挿入することによって下側軸受部５２が構成される。
【００３０】
他方、上側軸受部６２は、図６の断面図に示すように、平板部６２ａと、該平板部６２ａに一体的に立設された軸挿入部６２ｂとから鉄材等によって断面Ｔ字状に形成されている。軸挿入部６２ｂの中心部には上側回転軸部３６が挿入される中空部（軸挿入孔）６２ｃが貫通されている。そして、上側軸受部６２は、ボルト６４及び溶接ナット６６によって背面上板部材４７に固定されており、ミラーサイネージ１６が屹立した状態で上側回転軸部３６が軸挿入部６２ｂの中空部６２ｃに挿入されることで、ミラーサイネージ１６を回転可能に軸支する。
【００３１】
図７〜図９は、第1実施形態におけるミラーサイネージ１６の組立手順を室内側から見たものである。各図において（Ａ）は全体構成を示し、（Ｂ）は一点鎖線で示す囲み部分の拡大図を示す。
【００３２】
図７に示すように、先ず、ミラーサイネージ１６の下側回転軸部３４を下側軸受部５２に挿入してミラーサイネージ１６を垂直に起こす。
【００３３】
次いで、図８に示すように、上側回転軸部３６を背面上板部材４７に穿設された軸受通し孔４７ａに位置させる。このとき、背面上板部材４７と垂設されたミラーサイネージ１６の上面との間には隙間Ｇを有している。この隙間Ｇは、ミラーサイネージ１６を屹立させた際に上側回転軸部３６の先端が背面上板部材４７に接触しない程度の長さ（数ｃｍ程度）が好ましい。この状態で、背面上板部材４７の外側から上側軸受部６２の軸挿入部６２ｂを軸受通し孔４７ａに挿入し、軸挿入部６２ｂの中空部６２ｃを上側回転軸部３６に被せるように挿入する。軸挿入部６２ｂは、ミラーサイネージ１６の上側回転軸部３６を十分に覆うような長さを有しており、かつ、中空部６２ｃは上側回転軸部３６が十分に回転可能となる内径を有している。そして、この状態で、背面上板部材４７に穿設されたねじ孔４７ｂにボルト６４を通し、溶接ナット６６に締結することで取付が完成する。
【００３４】
このように第１実施形態によれば、簡単な構成でもって容易にミラーサイネージ１６を回転自在に取り付けることが可能になる。
【００３５】
＜第２実施形態＞
図１０は第２実施形態を示す下側軸受部の断面図、図１１はその分解斜視図である。
【００３６】
第１実施形態の下側軸受部５２は、背面下板部材４８にねじ止めする構成が採用されているが、第２実施形態では、背面下板部材４８上に載置して溶接等で固定する構成が採用されている。
【００３７】
図１１に示すように、第２実施形態の下側軸受部６８は、軸受台座７０と、第１実施形態と同様の鍔付ブッシュ５６とから構成されている。軸受台座７０は、平板状の台座本体７０ａと該台座本体７０ａの中心部に一体的に立設された円筒状の軸受挿入部７０ｂと、該軸受挿入部７０ｂに穿設された中空部７０ｃを備えた金属製の部材で形成される。
【００３８】
そして、下側軸受部６８は、溶接７２により背面下板部材４８上に取り付けられる。中空部７０ｃには鍔付ブッシュ５６が挿入され、鍔付ブッシュ５６の軸挿入孔５６ｃに下側回転軸部３４が挿入される。
【００３９】
このように第２実施形態によれば、第１実施形態と同様の効果に加えて、背面下板部材４８にネジ孔等を穿設加工する必要が無いので、ミラーサイネージ１６の取付作業が簡単になるという効果を奏する。
【００４０】
なお、図示は省略されているが、下側軸受部６８と同様の構成を有するものを上側軸受部として採用することが可能である。すなわち、軸受台座７０を背面上板部材４７に溶接し、中空部７０ｃに鍔付ブッシュ５６を挿入し、軸挿入孔５６ｃに上側回転軸部３６を挿入することで上側の開閉機構が構成される。
【００４１】
＜第３実施形態＞
次に第３実施形態について説明する。
【００４２】
第1実施形態では、ミラーサイネージ１６の上下に回転軸部を設け、枠を構成する背面上板部材４７及び背面下板部材４８に上側軸受部６２及び下側軸受部５２を設ける構成を採用した。第2実施形態では、逆に、枠を構成する背面上板部材４７及び背面下板部材４８に枠に固定軸部を設け、ミラーサイネージ１６の上下に軸受部を設けるように構成している。
【００４３】
図１２、図１３に示すように、下側軸部７４は、平板状の軸台座７４ａと該軸台座７４ａから一体的に立設された軸７４ｂとから断面が逆Ｔ字状に形成されている。軸台座７４ａは背面下板部材４８上に溶接８２で取り付けられる。
【００４４】
他方、ミラーサイネージ１６の下面（底面）には、軸受部７６がナット７８と皿ネジ８０により取り付けられている。軸受部７６は、平板状の軸受台座７６ａと該軸受台座７６ａから一体的に立設された軸挿入部７６ｂと、該軸挿入部７６ｂに穿設された孔７６ｃとから構成されており、孔７６ｃに下側軸部７４の軸７４ｂが挿入されることで、下側の開閉機構が構成される。
【００４５】
また、図示は省略されているが、上側についても全く同様の部材を背面上板部材４７側に取り付けることで上側部分の開閉機構が構成される。
【００４６】
このように、第３実施形態によれば、第１実施形態と同様、簡単な構成でもって容易にミラーサイネージ１６を回転自在に取り付けることが可能になる。
【００４７】
＜第４実施形態＞
図１４に示すように、第４実施形態は、図１２に示した第３実施形態と比較すると、背面下板部材４８に対する下側軸部７４の取付構造が異なっている以外は、部材構成は同じものが使用されている。すなわち、背面下板部材４８に取付孔４８ｃを穿設し、背面下板部材４８の下面側から軸７４ｂを該取付孔４８ｃを通す。下側軸部７４は下面側で背面下板部材４８に溶接８２により取り付けられる。
【００４８】
このように、第４実施形態では、第３実施形態と同様の効果を奏する他、軸台座７４ａの厚さ分だけミラーサイネージ１６を低く設置することができる等、高さ調整が容易になるという効果を奏する。
【００４９】
＜第５実施形態＞
図１５に示すように、第５実施形態は、上側軸部８４を背面上板部材４７に取り付けた例である。すなわち、背面上板部材４７に取付孔４７ｃを穿設し、背面上板部材４７の上面側から軸８４ｂを該取付孔４７ｃに通す。上側軸部８４は背面上板部材４７にねじ８８、ナット９０により取り付けられる。
【００５０】
他方、ミラーサイネージ１６の上面には、軸受部８６が皿ネジ９２、ナット９４により取り付けられている。軸受部８６は、平板状の軸受台座８６ａと該軸受台座８６ａから一体的に立設された軸挿入部８６ｂと、該軸挿入部８６ｂに穿設された孔８６ｃとから構成されており、孔８６ｃに上側軸部８４の軸８４ｂが挿入されることで、上側の開閉機構が構成される。
【００５１】
このように、第５実施形態では、第４実施形態と同様の効果を奏する他、溶接ではなく、ねじ止めされているので、ミラーサイネージ１６を起こした最終工程で上側軸部８４を取り付けて、開閉機構を構成することができる。
【００５２】
＜第６実施形態＞
図１６は、第６実施形態におけるミラーサイネージの取付構造を示す断面図であり、上側部分の構成を示している。
【００５３】
図６に示した第１実施形態における上側軸受部６２は、上側回転軸部３６が直接、中空部（軸挿入孔）６２ｃに挿入される構成が採用されている。第６実施形態では、図１６に示すように、上側軸受部は軸受ブラケット９６として構成され、該軸受ブラケット９６は軸受本体９８と鍔付ブッシュ１００とが一部品として構成されている点が相違する。鍔付ブッシュ１００は、軸受本体９８の中空部９８ａに挿入されている。また、鍔付ブッシュ１００の軸挿入孔１００ａには上側回転軸部３６が挿入される。そして、軸受ブラケット９６は、ボルト１０２及びナット１０４により背面上板部材４７に取り付けられる。
【００５４】
このように第６実施形態では、軸受本体９８、鍔付ブッシュ１００を別部品としてではなく、一つの部品としてブラケット化した軸受ブラケット９６で構成したので、装置構成がより一層、簡単化される。しかも、一体物としての軸受ブラケット９６を上側回転軸部３６に被せた後、ねじ止めするだけでよく、作業効率が大幅に向上する。
【００５５】
なお、図１６では、上側回転軸部３６に対する軸受ブラケット９６について説明したが、下側回転軸部３４に対する軸受ブラケットも同様に構成することができる。
【００５６】
＜第７実施形態＞
図１７は第７実施形態におけるミラーサイネージ１６の取付構造を示す断面図である。
【００５７】
前述した第１実施形態では、ミラーサイネージ１６を取り付ける際、下側軸受部５２に下側回転軸部３４を挿入した後、垂直位置まで屹立させ、ミラーサイネージ１６の上面に設けられた上側回転軸部３６を背面上板部材４７の上側軸受部６２に軸支させるようにする。しかし、狭い設置スペースで、背面上板部材４７に上側軸受部６２を取り付ける作業は困難を伴う。
【００５８】
そこで、第７実施形態では、予め、上側回転軸部３６に上側軸受部１０６を挿入しておき、ミラーサイネージ１６を屹立させた後に、上側軸受部１０６を背面上板部材４７に取り付けるように構成されている。すなわち、図１７（Ａ）に示すように、上側軸受部１０６は、断面が長方形状の本体部１０６ａと、該本体部１０６ａに穿設された軸挿入孔１０６ｂと、本体部１０６ａから水平方向に延設された取付部１０６ｃと、取付部１０６ｃに設けられたネジ孔１０６ｄとから構成される。
【００５９】
上記構成において、先ず、ミラーサイネージ１６の上側回転軸部３６に上側軸受部１０６を予め挿入しておく。この状態で、ミラーサイネージ１６の下側回転軸部３４を下側軸受部に挿入してミラーサイネージ１６を垂直に起こす。次いで、同図（Ｂ）に示すように、上側軸受部１０６を背面上板部材４７に接触するまで上方に引き上げ、ボルト１０８、ナット１１０を介して背面上板部材４７に取り付ければよい。なお、ボルト１０８とナット１１０との締結は背面上板部材４７の裏面での作業を伴うこととなり作業性が極めて悪い。このため、ナット１１０は、予め背面上板部材４７の裏面側に溶接で固定された溶接ナットを使用することで、背面上板部材４７の裏面側での作業を回避することができる。
【００６０】
このように第７実施形態によれば、上側軸受部１０６の取り付けを簡単に行うことができ、エレベータかご室におけるミラーサイネージ１６の取付作業を効率よく行うことが可能になる。また、全ての作業をかご内から行うことができ、かご外作業を行うことと比較して安全性が向上する。
【００６１】
＜第８実施形態＞
図１８は第８実施形態におけるミラーサイネージ１６の取付構造を示す断面図である。
【００６２】
図４に示した第１実施形態では、軸受板５４と鍔付ブッシュ５６とで下側軸受部５２を構成している。第８実施形態では、軸受板５４を省略して、直接、背面下板部材４８の丸孔４８ａに鍔付ブッシュ５６を挿入して下側軸受部１１１を構成するようにしている。下側軸受部１１１は、ミラーサイネージ１６の重量を支えることができ、かつ回転に支障を来さない構造であればよく、簡単な構造を適用することができる。
【００６３】
＜第９実施形態＞
図１９は第９実施形態におけるミラーサイネージ１６の取付構造を示す断面図である。
【００６４】
第９実施形態は第７実施形態と同様、狭い設置スペースで、背面上板部材４７に上側軸受部を取り付ける作業を出来るだけ効率よくするための構造を提供する。
【００６５】
第９実施形態でも第７実施形態と同様、予め、上側回転軸部３６に上側軸受部１１２を挿入しておき、ミラーサイネージ１６を屹立させた後に、上側軸受部１１２を背面上板部材４７に取り付けるように構成されている。図示のように、上側軸受部１１２は、平板状に形成されており、また、上側回転軸部３６が挿入される軸挿入孔１１２ａと、ネジ孔１１２ｂとが穿設されている。第９実施形態における下側軸受部１１１は、図１８に示す第８実施形態の構造が適用されている。
【００６６】
上記構成において、先ず、ミラーサイネージ１６の上側回転軸部３６に上側軸受部１１２を予め挿入しておく。背面下板部材４８の丸孔４８ａには、鍔付ブッシュ５６が挿入されて下側軸受部１１１が構成されており、鍔付ブッシュ５６の軸挿入孔５６ｃにミラーサイネージ１６の下側回転軸部３４を挿入してミラーサイネージ１６を垂直に起こす。次いで、同図（Ｂ）に示すように、上側軸受部１１２を背面上板部材４７に接触するまで（距離Ｇ）上方に引き上げる。そして、ボルト１０８、背面上板部材４７の裏面に溶接されたナット１１０を介して背面上板部材４７に取り付ければよい。
【００６７】
このように第９実施形態によれば、上側軸受部１１２の取り付けを簡単に行うことができ、エレベータかご室におけるミラーサイネージ１６の取付作業を効率よく行うことが可能になる。また、全ての作業をかご内から行うことができ、かご外作業を伴うことがないので、作業の安全性が向上する。
【００６８】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１０…乗りかご、１４…開閉機構、１６…ミラーサイネージ（モニター付きミラー）、２２…ハーフミラー、２４…モニター、２８…ＵＳＢ装着部、３４…下側回転軸部、３６…上側回転軸部、４６…背面部材、４６ａ，４６ｂ…背面側板部材、４７…背面上板部材、４８…背面下板部材、５０…キャスター、５２…下側軸受部、５４…軸受板、５６…鍔付ブッシュ、６２…上側軸受部、６８…下側軸受部、７０…軸受台座、７４…下側軸部、７６…軸受部、８４…上側軸部、８６…軸受部、９６…軸受ブラケット、９８…軸受本体、１００…鍔付ブッシュ、１０６…上側軸受部、１１２…上側軸受部。
【図１】
2017218290.tif 000003
【図２】
2017218290.tif 000004
【図３】
2017218290.tif 000005
【図４】
2017218290.tif 000006
【図５】
2017218290.tif 000007
【図６】
2017218290.tif 000008
【図７】
2017218290.tif 000009
【図８】
2017218290.tif 000010
【図９】
2017218290.tif 000011
【図１０】
2017218290.tif 000012
【図１１】
2017218290.tif 000013
【図１２】
2017218290.tif 000014
【図１３】
2017218290.tif 000015
【図１４】
2017218290.tif 000016
【図１５】
2017218290.tif 000017
【図１６】
2017218290.tif 000018
【図１７】
2017218290.tif 000019
【図１８】
2017218290.tif 000020
【図１９】
2017218290.tif 000021
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
エレベータかご室の一面を上下左右の各側板部材で枠状に構成する枠状壁面部材と、
前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、
前記枠状壁面部材に取り付けられる前記ミラーサイネージをかご室側へ開閉可能に支持する開閉機構と、を備え、
前記開閉機構は、
前記ミラーサイネージの一側縁部の下端面又は上端面に設けられた軸部と、前記枠状壁面部材を構成する下側板部材又は上側板部材に設けられ、前記軸部と係合してミラーサイネージを回転可能に軸支する軸受部と、
を有することを特徴とするエレベータかご室におけるミラーサイネージの取付構造。
【請求項２】
エレベータかご室の一面を上下左右の各側板部材で枠状に構成する枠状壁面部材と、
前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、
前記枠状壁面部材に取り付けられる前記ミラーサイネージをかご室側へ開閉可能に支持する開閉機構と、を備え、
前記開閉機構は、
前記枠状壁面部材を構成する下側板部材又は上側板部材に設けられた軸部と、
前記ミラーサイネージの一側部側の下端面又は上端面に設けられ、前記軸部と係合して前記ミラーサイネージを回転可能に軸支する軸受部と、
を有することを特徴とするエレベータかご室におけるミラーサイネージの取付構造。
【請求項３】
前記下側板部材に設けられる下部軸受部は、
前記下側板部材に形成された貫通孔に挿入可能な外径を有する円筒状の挿入部と、該挿入部の端部に一体形成され前記挿入部の外径より大きい径を有する鍔部と、前記鍔部と前記挿入部とを貫通する軸挿入孔とから形成された鍔付ブッシュを備えることを特徴とする請求項１に記載のエレベータかご室におけるミラーサイネージの取付構造。
【請求項４】
前記軸受部は、
軸受本体と、該軸受本体に対して垂直方向に一体的に立設され、かつ中心には前記軸部が挿入される軸挿入孔が形成された軸受挿入部とから形成された軸受台座、
を備えることを特徴とする請求項１又は２に記載のエレベータかご室におけるミラーサイネージの取付構造。
【請求項５】
前記軸挿入孔に挿入可能な外径を有するとともに中心には前記軸部が挿入される孔が形成されたブッシュを備え、前記軸挿入孔にブッシュが挿入され、該ブッシュの孔に前記軸部が挿入されることを特徴とする請求項４に記載のエレベータかご室におけるミラーサイネージの取付構造。
【請求項６】
前記軸受部とブッシュとを一部品とする軸受ブラケットで構成することを特徴とする請求項５に記載のエレベータかご室におけるミラーサイネージの取付構造。
【請求項７】
前記軸部は、下側板部材又は上側板部材に取り付けられる平板状の軸台座と、該軸台座に立設された軸とから形成されることを特徴とする請求項２に記載のエレベータかご室におけるミラーサイネージの取付構造。
【請求項８】
エレベータかご室の一面を上下左右の各側板部材で枠状に構成する枠状壁面部材と、
前記枠状壁面部材に取り付けられて前記かご室の一面を構成するとともに、鏡面機能を有する半透明部材と該半透明部材の裏面側に設けられ前記半透明部材を介して映像コンテンツをかご室内に表示させるモニターとを有するミラーサイネージと、
前記枠状壁面部材に取り付けられる前記ミラーサイネージをかご室側へ開閉可能に支持する開閉機構と、を備えたエレベータかご室におけるミラーサイネージの取付方法であって、
前記ミラーサイネージの一側縁部の上端面に設けられた軸部に、該軸部と係合してミラーサイネージを回転可能に軸支する軸受部を予め挿入しておき、
前記ミラーサイネージの一側縁部の下端面に設けられた軸部を、前記枠状壁面部材を構成する下側板部材に設けられた軸受部に挿入した後、
前記ミラーサイネージを屹立させて前記上端面の軸部に挿入された軸受部を前記枠状壁面部材を構成する上側板部材に固定する、
ことを特徴とするエレベータかご室におけるミラーサイネージの取付方法。